(57)【要約】【課題】サイドウィンドウガラスの曇りを効率良く除去すると共に、外観意匠性を向上させることができる車両用インストルメントパネル構造を得る。【解決手段】第２側壁部４６によって車両用シート２０に着座する乗員の吹出口５４への視線が遮蔽されていることから、車両用シート２０に着座する乗員は吹出口５４を視認し難くなる。また、吹出口５４の車両後方側に設けられている第２側壁部４６は、吹出口５４に対応した部位から車両幅方向外側へ向かうに連れて車両後方側へ傾いて延設されていることから、吹出口５４から略車両後方側へ向けて吹き出される空気流Ｗが第２側壁部４６によって車両幅方向外側へ円滑に案内される。したがって、空気流を効率良くサイドウィンドウガラス４０に当てることができるので、サイドウィンドウガラス４０に発生した曇りを効率良く除去することができる。【選択図】図１
2020124951.tif 000002
【特許請求の範囲】
【請求項１】
車室前部に設けられたインストルメントパネルにおける計器部と車両用ドアの内装材との間に設けられていると共に、略車両後方側へ向けて空気流が吹き出し可能とされた吹出口と、
前記車室内に設けられた車両用シートに着座する乗員の前記吹出口への視線を遮蔽するように前記吹出口の車両後方側に設けられていると共に、前記吹出口に対応した部位から車両幅方向外側へ向かうに連れて車両後方側へ傾いて延設された案内部材と、
を有する車両用インストルメントパネル構造。
【請求項２】
前記案内部材は、車室内側面が前記計器部と連続的に延設されている、
請求項１記載の車両用インストルメントパネル構造。
【請求項３】
前記案内部材には、前記車室内へ向けて情報表示を行う表示装置が設けられている、
請求項１又は請求項２記載の車両用インストルメントパネル構造。
【請求項４】
前記吹出口は、前記案内部材の車両幅方向外側への延設方向を長手方向とするスリット状に形成されている、
請求項１〜請求項３のいずれか一項に記載の車両用インストルメントパネル構造。
【請求項５】
前記案内部材は、略板状に形成されており、
前記吹出口は、前記案内部材の車室外側面に近接した位置に設けられている、
請求項１〜請求項４のいずれか一項に記載の車両用インストルメントパネル構造。
【発明の詳細な説明】
【技術分野】
【０００１】
本発明は、車両用インストルメントパネル構造に関する。
【背景技術】
【０００２】
特許文献１には、車両用防曇装置が開示されている。この車両用防曇装置は、インストルメントパネル（以下、単に「インパネ」と称する。）の助手席側に設けられた空調用の空気を吹き出すサイドフェイス吹出口が設けられている。このサイドフェイス吹出口内には、空調風をサイドウィンドウガラス側へ送るために回動するブレードが設けられている。サイドウィンドウガラスに曇りが発生した場合には、ブレードを回動させて空調風をサイドウィンドウガラスへ送ることで、サイドウィンドウガラスの曇りをとる。
【先行技術文献】
【特許文献】
【０００３】
【特許文献１】特開２０１４−７６６８２号公報
【発明の概要】
【発明が解決しようとする課題】
【０００４】
しかしながら、特許文献に開示された構成の場合、サイドフェイス吹出口は、通常時は助手席に着座する乗員へ向けて空調風を送るために略車両後方側へ向けて開口されている。したがって、サイドウィンドウガラスへ向けて空調風を送る際は、開口された向きと異なる向きへの送風が必要なため、送風効率が低下する。また、サイドフェイス吹出口は、車室内側に露見するため、外観意匠性が低下する。したがって、上記先行技術はこの点で改良の余地がある。
【０００５】
本発明は上記事実を考慮し、サイドウィンドウガラスの曇りを効率良く除去すると共に、外観意匠性を向上させることができる車両用インストルメントパネル構造を得ることを目的とする。
【課題を解決するための手段】
【０００６】
請求項１に記載の発明に係る車両用インストルメントパネル構造は、車室前部に設けられたインストルメントパネルにおける計器部と車両用ドアの内装材との間に設けられていると共に、車室内へ向けて空気流が吹き出し可能とされた吹出口と、前記車室内に設けられた車両用シートに着座する乗員の前記吹出口への視線を遮蔽するように前記吹出口の車両後方側に設けられていると共に、車両幅方向外側の端部がサイドウィンドウガラス側へ向けて延設された案内部材と、を有している。
【０００７】
請求項１に記載の発明によれば、案内部材によって車両用シートに着座する乗員の吹出口への視線が遮蔽されていることから、車両用シートに着座する乗員は吹出口を視認し難くなる。したがって、吹出口が車室内側に露見することによる外観意匠性の低下が抑制できる。
【０００８】
また、吹出口の車両後方側に設けられている案内部材は、吹出口に対応した部位から車両幅方向外側へ向かうに連れて車両後方側へ傾いて延設されていることから、吹出口から略車両後方側へ向けて吹き出される空気流が案内部材によって車両幅方向外側へ円滑に案内される。したがって、インパネの車両幅方向外側にあるサイドウィンドウガラスへ空気流を効率良く当てることができるので、サイドウィンドウガラスに発生した曇りを効率良く除去することができる。
【０００９】
請求項２に記載の発明に係る車両用インストルメントパネル構造は、請求項１記載の発明において、前記案内部材は、車室内側面が前記計器部と連続的に延設されている。
【００１０】
請求項２に記載の発明によれば、案内部材の車室内側面がインパネの計器部に連続的に延設されていることから、案内部材と計器部ひいてはインパネとの外観意匠の一体感が向上する。
【００１１】
請求項３に記載の発明に係る車両用インストルメントパネル構造は、請求項１又は請求項２記載の発明において、前記案内部材には、前記車室内へ向けて情報表示を行う表示装置が設けられている。
【００１２】
請求項３に記載の発明によれば、情報表示を行う表示装置を案内部材に設けることで、表示装置をインパネに取り付けるための構造やスペースを別途設ける必要がなくなる。
【００１３】
請求項４に記載の発明に係る車両用インストルメントパネル構造は、請求項１〜請求項３のいずれか一項に記載の発明において、前記吹出口は、前記案内部材の車両幅方向外側への延設方向を長手方向とするスリット状に形成されている。
【００１４】
請求項４に記載の発明によれば、案内部材の延設方向と吹出口の長手方向とが平行になることから、吹出口の開口面積を小さくすることなく吹出口を案内部材によって乗員の吹出口への視線からより遮蔽し易くなる。つまり、吹出口を目立ち難くするために、吹出口の開口面積を小さくすることで、吹き出す空気流の量が減少するのを避けることができる。
【００１５】
請求項５に記載の発明に係る車両用インストルメントパネル構造は、請求項１〜請求項４のいずれか一項に記載の発明において、前記案内部材は、略板状に形成されており、前記吹出口は、前記案内部材の車室外側面に近接した位置に設けられている。
【００１６】
請求項５に記載の発明によれば、吹出口から吹き出された空気流が略板状の案内部材における車室外側面に沿って流れやすくなるため、所謂コアンダ効果によって空気流を案内部材の車室外側面から剥離し難い状態でサイドウィンドウガラスへと流すことができる。したがって、空気流を効率良くサイドウィンドウガラスへ当てることができる。
【発明の効果】
【００１７】
請求項１記載の本発明に係る車両用インストルメントパネル構造は、サイドウィンドウガラスの曇りを効率良く除去すると共に、外観意匠性を向上させることができるという優れた効果を有する。
【００１８】
請求項２記載の本発明に係る車両用インストルメントパネル構造は、外観意匠性をより向上させることができるという優れた効果を有する。
【００１９】
請求項３記載の本発明に係る車両用インストルメントパネル構造は、車室内のスペースを有効活用することができるという優れた効果を有する。
【００２０】
請求項４記載の本発明に係る車両用インストルメントパネル構造は、サイドウィンドウガラスの防曇性をより向上させながら外観意匠性を向上させることができるという優れた効果を有する。
【００２１】
請求項５記載の本発明に係る車両用インストルメントパネル構造は、サイドウィンドウガラスの防曇性をより一層向上させることができるという優れた効果を有する。
【図面の簡単な説明】
【００２２】
【図１】一実施形態に係る車両用インストルメントパネル構造を有するインパネを車両斜め後方側から見た概略斜視図である。
【図２】一実施形態に係る車両用インストルメントパネル構造を有するインパネを示す平面図である。
【発明を実施するための形態】
【００２３】
以下、図１、図２に基づいて本発明の車両用インストルメントパネル構造１０について説明する。なお、各図に適宜記す矢印ＦＲ、矢印ＵＰ、矢印ＯＵＴは、車両の前方向（進行方向）、上方向、車両幅方向の外側をそれぞれ示している。以下、単に前後、左右、上下の方向を用いて説明する場合は、特に断りのない限り、車両前後方向の前後、車両左右方向（車両幅方向）の左右、車両上下方向の上下を示すものとする。
【００２４】
（全体構成）
車両１２の車室１４内の前部には、インパネ１６が設けられている。このインパネ１６は、車室１４と車両前部とを隔成するダッシュパネル（不図示）の車両後方側の上部側に配置されている。ダッシュパネルの下端部は、図示しないフロアパネルの前端部に接合されており、フロアパネルは、車室１４の下面を構成している。また、ダッシュパネルの上端部には、図示しないカウルが接合されており、このカウルは、フロントガラス１８の下端部を支持している。フロントガラス１８は、車室１４の上部側の前面を構成してその下端部側がインパネ１６の前端部１６Ａ側に配置されている。
【００２５】
インパネ１６の車両後方側には、車両用の前席としての車両用シート２０が設けられている。車両用シート２０は、本実施形態では車室１４の前部左側が助手席（不図示）とされ、車室１４の前部右側が運転席とされている。
【００２６】
インパネ１６は、車両幅方向に沿って延在される内装パネル材として構成されている。インパネ１６の内部（車両前方側）上部には、車両幅方向に沿って長尺状とされたインパネリインフォースメント（不図示）が配設されており、インパネ１６は、このインパネリインフォースメントに複数箇所で取り付けられている。なお、前記インパネリインフォースメントは、金属製のパイプ材であり、その長手方向の両端部は、左右の車体側部に立設された一対のフロントピラー２２（左右の骨格部材、左側は不図示）の車両下方側に固定されている。
【００２７】
インパネ１６における運転席側には、計器部２４が設けられている。計器部２４は、インパネ１６の上部かつステアリングホイール２６に対応した位置に設けられており、略車両幅方向を長手方向とする略矩形状に形成されかつ車室１４へ向けられた表示パネル４８を含んで構成されている。表示パネル４８は、一例として、液晶パネルにより構成されており、車両１２の速度やパワーユニットの作動状況等が表示可能とされている。
【００２８】
車両１２の側部には、車両用ドア２８が設けられている。この車両用ドア２８は、車両用ドア２８を構成するドアフレームとしてのドアフレーム３０と、車両用ドア２８の車室内側に内装部材として設けられているドアトリム３２とを含んで構成されている。ドアトリム３２の車両上方側端部３２Ａと、ドアフレーム３０との間には、略車両幅方向に開口された開口部３８が設けられており、この開口部３８内にサイドウィンドウガラス４０が図示しない昇降機構に支持されて設けられている。なお、サイドウィンドウガラス４０は、透明のガラスが層状に複数重ねられた構成とされており、昇降機構により車両用ドア２８内を略車両上下方向に沿って移動可能とされている。
【００２９】
（案内部材）
インパネ１６における計器部２４とドアトリム３２との間の部位には、加飾パネル４２が設けられている。この加飾パネル４２は、図２に示されるように、第１側壁部４４と、案内部材としての第２側壁部４６とで車両平面視にて略Ｌ字状に形成されている。第１側壁部４４は、略車両幅方向を厚さ方向とする板状に形成されており、インパネ１６における前端部１６Ａから計器部２４の近傍まで車両前後方向に沿って延設されている。
【００３０】
第２側壁部４６は、略車両前後方向を厚さ方向とする板状に形成されており、第１側壁部４４の車両後方側の端部から車両幅方向外側へ向かうに連れて車両後方側へ傾いて延設されている。これにより、第２側壁部４６の車室内側面４６Ａは、計器部２４における表示パネル４８と外観意匠上にて略車両幅方向にて連続的に延設されている（図１参照）。
【００３１】
第２側壁部４６の車両幅方向外側の端部４６Ｂは、車両前後方向にてアウトサイドミラー５０（図１参照）に対応した位置にてドアトリム３２と離間するように設けられている。なお、第１側壁部４４と第２側壁部４６との接合部位は湾曲してなだらかに接続されている。
【００３２】
図１に示されるように、第２側壁部４６には、表示装置５２が設けられている。この表示装置５２は、第２側壁部４６に内蔵されかつ第２側壁部４６の車室内側面４６Ａに情報を表示する液晶パネルを含んで構成されており、図示しない情報表示制御装置に通信可能に接続されている。これによって、車室１４内へ向けて任意の情報を表示することができる。なお、本実施形態では、一例として、第２側壁部４６の略車両上下方向の寸法が計器部２４の車両上下方向の寸法よりも大きく設定されており、第２側壁部４６の上端部４６Ｃは、車両用シート２０に着座した一般的な身長の乗員が車両前方側を目視した際に後述する吹出口５４が第２側壁部４６により遮蔽される程度の高さに設定されている。
【００３３】
（空調装置）
車室１４内には、車両用空調装置５６が設けられている。この車両用空調装置５６は、図示しない空調ダクトと、後述する吹出口５４とを備えている。車両用空調装置５６は、一例として、車両１２のインパネ１６の車両前方側かつ下方側に配置されている。車両用空調装置５６は、図示しないメインファンを備えており、メインファンが作動されることによって気流が形成される。メインファンに対して気流の下流側には、エバポレータ、ヒータコア等（いずれも不図示）が設けられており、気流の温度、湿度等が調整された調和空気になる。この気流は、車両用空調装置５６に接続された空調ダクトの内部を通って吹出口５４から外部へ空調風として送風される。なお、車両用空調装置５６は、後述する吹出口５４以外にも様々な位置に設けられた吹出口へ繋がる空調ダクトが接続されていると共に、図示しない制御装置に通信可能に接続されており、制御装置からの指示により吹出口５４やその他の吹出口毎に異なる温度や風量の空調風が送風可能とされている。
【００３４】
（吹出口）
図２に示されるように、インパネ１６における計器部２４とドアトリム３２との間かつ加飾パネル４２の車両前方側には吹出口５４が設けられている。この吹出口５４は、車両正面視にて第２側壁部４６の略車両幅方向への延設方向を長手方向とするスリット状に形成されており、第２側壁部４６の車室外側面４６Ｄに近接して設けられている。吹出口５４の内部には、複数のルーバ６０が設けられており、このルーバ６０によって車両用空調装置５６（図１参照）からの空気流Ｗを略車両後方側かつ略車両上方側へ向けて吹き出し可能とされている。
【００３５】
（作用・効果）
次に、本実施形態の作用並びに効果を説明する。
【００３６】
本実施形態では、図１に示されるように、第２側壁部４６が車両用シート２０に着座する乗員の吹出口５４への視線を遮蔽することから、車両用シート２０に着座する乗員は吹出口５４を視認し難くなる。したがって、吹出口５４が車室内側に露見することによる外観意匠性の低下が抑制できる。
【００３７】
また、吹出口５４の車両後方側に設けられている第２側壁部４６は、吹出口５４に対応した部位から車両幅方向外側へ向かうに連れて車両後方側へ傾いて延設されている（図２参照）ことから、吹出口５４から略車両後方側へ向けて吹き出される空気流Ｗが第２側壁部４６によって車両幅方向外側へ円滑に案内される。したがって、インパネ１６の車両幅方向外側にあるサイドウィンドウガラス４０へ空気流Ｗを効率良く当てることができるので、サイドウィンドウガラス４０に発生した曇りを効率良く除去することができる。これにより、サイドウィンドウガラス４０の曇りを効率良く除去すると共に、外観意匠性を向上させることができる。
【００３８】
さらに、第２側壁部４６の車室内側面４６Ａがインパネ１６の計器部２４に連続的に延設されていることから、第２側壁部４６と計器部２４ひいてはインパネ１６との外観意匠の一体感が向上する。これにより、外観意匠性をより向上させることができる。
【００３９】
さらにまた、情報表示を行う表示装置５２を第２側壁部４６に設けることで、表示装置５２をインパネ１６に取り付けるための構造やスペースを別途設ける必要がなくなる。これにより、車室１４内のスペースを有効活用することができる。
【００４０】
また、図２に示されるように、第２側壁部４６の延設方向と吹出口５４の長手方向とが平行になることから、吹出口５４の開口面積を小さくすることなく吹出口５４を第２側壁部４６によって乗員の吹出口５４への視線からより遮蔽し易くなる。
つまり、吹出口５４を目立ち難くするために、吹出口５４の開口面積を小さくすることで、吹き出す空気流Ｗの量が減少するのを避けることができる。これにより、サイドウィンドウガラス４０の防曇性をより向上させながら外観意匠性を向上させることができる
【００４１】
さらに、吹出口５４から吹き出された空気流Ｗが略板状の第２側壁部４６における車室外側面４６Ｄに沿って流れやすくなるため、所謂コアンダ効果によって空気流Ｗが第２側壁部４６の車室外側面４６Ｄにから剥離し難い状態でサイドウィンドウガラス４０へと流れる。したがって、空気流Ｗを効率良くサイドウィンドウガラス４０へ当てることができる。これにより、サイドウィンドウガラス４０の防曇性をより一層向上させることができる。
【００４２】
なお、本実施形態では、第２側壁部４６の車室外側面４６Ｄは、平滑な面とされているが、これに限らず、吹出口５４から吹き出される空気流Ｗを整流するためのフィンや突起等にて構成された整流部を設けてもよい。
【００４３】
また、第２側壁部４６には、表示装置５２が設けられた構成とされているが、これに限らず、表示装置５２が設けられていない構成としてもよい。
【００４４】
さらに、吹出口５４は、車両正面視にてスリット状に形成されているが、これに限らず、円形やその他の形状に形成されてもよい。
【００４５】
さらにまた、吹出口５４は、第２側壁部４６の車室外側面４６Ｄに近接して設けられているが、これに限らず、車室外側面４６Ｄに離間して設けられた構成としてもよい。
【００４６】
また、第２側壁部４６は、板状に形成されているが、これに限らず、箱状やその他の形状に形成されていてもよい。
【００４７】
以上本発明は、上記の形態例に限定されるものではなく、上記の形態例以外にも、その主旨を逸脱しない範囲内において種々変形して実施可能であることは勿論である。 
【符号の説明】
【００４８】
１０   車両用インストルメントパネル構造
１４   車室
１６   インパネ（インストルメントパネル）
２０   車両用シート
２４   計器部
２８   車両用ドア
３２   ドアトリム（車両用ドアの内装材）
４６   第２側壁部
４６Ａ 車室内側面
４６Ｄ 車室外側面
５２   表示装置
５４   吹出口
Ｗ     空気流
【図１】
2020124951.tif 000003
【図２】
2020124951.tif 000004